【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
信号強度しきい値を生成するように構成されたアドホックワイヤレス通信ネットワークにおけるデバイスであって、
前記ワイヤレス通信ネットワークにおける他のデバイスからのメッセージを受信するように構成された受信機、ここにおいて、前記受信機は、メッセージを送った他のデバイスの数を決定するようにさらに構成される、と、
前記他のデバイスそれぞれからの前記メッセージの平均信号強度を決定し、ブランチデバイスを決定するために使用される信号強度しきい値を識別するように構成されたプロセッサ、ここにおいて、前記信号強度しきい値は、前記他のデバイスそれぞれのサブセットからの前記メッセージの前記平均信号強度より大きい前記信号強度しきい値を識別することに、少なくとも部分的に、基づいて識別され、前記プロセッサは、メッセージを送った他のデバイスの前記数に基づいて、前記他のデバイスそれぞれの前記サブセットを決定するようにさらに構成され、前記他のデバイスそれぞれの各々は、前記他のデバイスそれぞれに関連付けられた信号強度が前記信号強度しきい値より小さい場合に、前記ブランチデバイスとして決定されることがふさわしい、と、
前記ワイヤレス通信ネットワークにおける前記他のデバイスに前記信号強度しきい値を送信するように構成された送信機と
を備える、デバイス。
【請求項２】
前記デバイスは、ルートデバイスおよび／またはブランチ同期デバイスのうちの１つである、
請求項１に記載のデバイス。
【請求項３】
前記ワイヤレス通信ネットワークは、ピアツーピアワイヤレス通信ネットワークを備える、
請求項１に記載のデバイス。
【請求項４】
前記ワイヤレス通信ネットワークは、ソーシャルＷｉＦｉネットワークを備える、
請求項１に記載のデバイス。
【請求項５】
前記プロセッサは、ポテンシャルブランチデバイスを識別するようにさらに構成され、前記送信機は、前記デバイスが前記ブランチデバイスになるべきであると前記ポテンシャルブランチデバイスに命令を送信するようにさらに構成される、
請求項１に記載のデバイス。
【請求項６】
前記メッセージの前記信号強度は、受信信号強度インジケーション（ＲＳＳＩ）であり、前記信号強度しきい値は、ＲＳＳＩしきい値である、
請求項１に記載のデバイス。
【請求項７】
前記メッセージの前記信号強度は、パス利得であり、前記信号強度しきい値は、パス利得しきい値である、
請求項１に記載のデバイス。
【請求項８】
アドホックワイヤレス通信ネットワークにおける信号強度しきい値を決定するための方法であって、
前記ワイヤレス通信ネットワークにおける他のデバイスからのメッセージを受信することと、
メッセージを送った他のデバイスの数を決定することと、
前記ワイヤレス通信ネットワークにおける前記他のデバイスから前記受信したメッセージおよび前記他のデバイスそれぞれの信号強度に、少なくとも部分的に、基づいて前記ワイヤレス通信ネットワークにおける前記他のデバイスそれぞれからの前記メッセージの平均信号強度を決定すること、ここにおいて、前記信号強度しきい値を識別することは、前記ワイヤレス通信ネットワークにおける前記他のデバイスのサブセットからの前記メッセージの前記平均信号強度より大きい前記信号強度しきい値を識別することを備える、と、
ブランチデバイスを決定するために使用される前記信号強度しきい値を識別することと、
メッセージを送った他のデバイスの前記数に基づいて、前記他のデバイスそれぞれの前記サブセットを決定すること、ここにおいて、前記他のデバイスそれぞれの各々は、前記他のデバイスそれぞれに関連付けられた信号強度が前記信号強度しきい値より小さい場合に、前記ブランチデバイスとして決定されることがふさわしい、と、
前記ワイヤレス通信ネットワークにおける前記他のデバイスに前記信号強度しきい値を送信することと
を備える、方法。
【請求項９】
前記ワイヤレス通信ネットワークは、ピアツーピアワイヤレス通信ネットワークを備える、
請求項８に記載の方法。
【請求項１０】
前記ワイヤレス通信ネットワークは、ソーシャルＷｉＦｉネットワークを備える、
請求項８に記載の方法。
【請求項１１】
ポテンシャルブランチデバイスを識別することと、前記デバイスが前記ブランチデバイスになるべきであると前記ポテンシャルブランチデバイスに命令を送信することとをさらに備える、
請求項８に記載の方法。
【請求項１２】
前記他のデバイスそれぞれの前記信号強度は、受信した信号強度インジケーション（ＲＳＳＩ）であり、前記信号強度しきい値は、ＲＳＳＩしきい値である、
請求項８に記載の方法。
【請求項１３】
前記他のデバイスそれぞれの前記信号強度は、パス利得であり、前記信号強度しきい値は、パス利得しきい値である、
請求項８に記載の方法。
【請求項１４】
実行されると、デバイス中のプロセッサに、アドホックワイヤレス通信ネットワークにおける信号強度しきい値を決定するための方法を実行させる命令を備える非一時的コンピュータ可読媒体であって、前記方法は、
前記ワイヤレス通信ネットワークにおける他のデバイスからのメッセージを受信することと、
メッセージを送った他のデバイスの数を決定することと、
前記ワイヤレス通信ネットワークにおける前記他のデバイスから前記受信したメッセージおよび前記他のデバイスそれぞれの信号強度に、少なくとも部分的に、基づいて前記ワイヤレス通信ネットワークにおける前記他のデバイスそれぞれからの前記メッセージの平均信号強度を決定すること、ここにおいて、前記信号強度しきい値を識別することは、前記ワイヤレス通信ネットワークにおける前記他のデバイスのサブセットからの前記メッセージの前記平均信号強度より大きい前記信号強度しきい値を識別することを備える、と、
ブランチデバイスを決定するために使用される前記信号強度しきい値を識別することと、
メッセージを送った他のデバイスの前記数に基づいて、前記他のデバイスそれぞれの前記サブセットを決定すること、ここにおいて、前記他のデバイスそれぞれの各々は、前記他のデバイスそれぞれに関連付けられた信号強度が前記信号強度しきい値より小さい場合に、前記ブランチデバイスとして決定されることがふさわしい、と、
前記ワイヤレス通信ネットワークにおける前記他のデバイスに前記信号強度しきい値を送信することと
を備える、非一時的コンピュータ可読媒体。
【請求項１５】
前記ワイヤレス通信ネットワークは、ピアツーピアワイヤレス通信ネットワークを備える、
請求項１４に記載の非一時的コンピュータ可読媒体。
【請求項１６】
前記ワイヤレス通信ネットワークは、ソーシャルＷｉＦｉネットワークを備える、
請求項１４に記載の非一時的コンピュータ可読媒体。
【請求項１７】
前記方法は、ポテンシャルブランチデバイスを識別することと、前記デバイスが前記ブランチデバイスになるべきであると前記ポテンシャルブランチデバイスに命令を送信することとをさらに備える、
請求項１４に記載の非一時的コンピュータ可読媒体。
【請求項１８】
前記他のデバイスそれぞれの前記信号強度は、受信した信号強度インジケーション（ＲＳＳＩ）であり、前記信号強度しきい値は、ＲＳＳＩしきい値である、
請求項１４に記載の非一時的コンピュータ可読媒体。
【請求項１９】
前記他のデバイスそれぞれの前記信号強度は、パス利得であり、前記信号強度しきい値は、パス利得しきい値である、
請求項１４に記載の非一時的コンピュータ可読媒体。
【請求項２０】
アドホックワイヤレス通信ネットワークにおけるデバイスであって、
前記ワイヤレス通信ネットワークにおける１つまたは複数の他のデバイスからのメッセージを受信するように構成された受信機、ここにおいて、前記メッセージは、信号強度しきい値を含み、前記信号強度しきい値は、前記１つまたは複数の他のデバイスのサブセットから前記受信したメッセージの平均信号強度より大きい前記信号強度しきい値を識別することに、少なくとも部分的に、基づいて識別され、前記１つまたは複数の他のデバイスのサブセットは、メッセージを送った他のデバイスの数に基づく、と、
前記受信したメッセージの前記平均信号強度と前記メッセージ中で受信した前記信号強度しきい値を比較するように構成され、前記デバイスが前記受信したメッセージの前記平均信号強度と前記信号強度しきい値との前記比較に少なくとも基づいてポテンシャルブランチノードであるかどうか決定するようにさらに構成されたプロセッサ、ここにおいて、前記１つまたは複数の他のデバイスの各々は、前記他のデバイスそれぞれに関連付けられた信号強度が前記信号強度しきい値より小さい場合に、ポテンシャルブランチノードとして決定されることがふさわしい、と
を備える、デバイス。
【請求項２１】
前記プロセッサは、前記デバイスの近傍における１つまたは複数のブランチノードの存在を決定するようにさらに構成される、
請求項２０に記載のデバイス。
【請求項２２】
アドホックワイヤレス通信ネットワークにおける方法であって、
前記ワイヤレス通信ネットワークにおける１つまたは複数の他のデバイスからのメッセージを受信すること、ここにおいて、前記メッセージは、信号強度しきい値を含み、前記信号強度しきい値は、前記１つまたは複数の他のデバイスのサブセットから前記受信したメッセージの平均信号強度より大きい信号強度しきい値に、少なくとも部分的に、基づいて識別され、前記１つまたは複数の他のデバイスの前記サブセットは、メッセージを送った他のデバイスの数に基づく、と、
前記受信したメッセージの前記平均信号強度を決定することと、
ワイヤレスデバイスがポテンシャルブランチノードでありうるかどうか決定するために、前記信号強度しきい値と前記受信したメッセージの前記平均信号強度を比較すること、ここにおいて、前記ワイヤレスデバイスは、前記ワイヤレスデバイスに関連付けられた信号強度が前記信号強度しきい値より小さい場合に、ポテンシャルブランチノードとして決定されることがふさわしい、と、
前記ワイヤレスデバイスが前記ポテンシャルブランチノードでありうるか否かの前記決定に少なくとも部分的に基づいて、１つまたは複数の他のデバイスからの前記メッセージを送信することと
を備える、方法。
【請求項２３】
前記ワイヤレスデバイスの近傍における１つまたは複数のブランチノードの存在を決定することをさらに備える、
請求項２２に記載の方法。
【請求項２４】
実行されると、デバイス中のプロセッサに、アドホックワイヤレス通信ネットワークにおける方法を実行させる命令を備える、非一時的コンピュータ可読媒体であって、前記方法は、
前記ワイヤレス通信ネットワークにおける１つまたは複数の他のデバイスからのメッセージを受信すること、ここにおいて、前記メッセージは、信号強度しきい値を含み、前記信号強度しきい値は、前記１つまたは複数の他のデバイスのサブセットから前記受信したメッセージの平均信号強度より大きい信号強度しきい値に、少なくとも部分的に、基づいて識別され、前記１つまたは複数の他のデバイスの前記サブセットは、メッセージを送った他のデバイスの数に基づく、と、
前記受信したメッセージの前記平均信号強度を決定することと、
ワイヤレスデバイスがポテンシャルブランチノードとなりうるか否かを決定するために、前記信号強度しきい値と前記受信したメッセージの前記平均信号強度を比較すること、ここにおいて、前記ワイヤレスデバイスは、前記ワイヤレスデバイスに関連付けられた信号強度が前記信号強度しきい値より小さい場合に、ポテンシャルブランチノードとして決定されることがふさわしい、と、
前記ワイヤレスデバイスが前記ポテンシャルブランチノードでありうるか否かの前記決定に少なくとも部分的に基づいて、前記１つまたは複数の他のデバイスからの前記メッセージを送信することと
を備える、非一時的コンピュータ可読媒体。
【請求項２５】
前記ワイヤレスデバイスの近傍における１つまたは複数のブランチノードの存在を決定することをさらに備える、
請求項２４に記載の非一時的コンピュータ可読媒体。
【手続補正２】
【補正対象書類名】明細書
【補正対象項目名】００６８
【補正方法】変更
【補正の内容】
【００６８】
[0073]同様に、動作は、特定の順序で図面に書き描かれる一方で、このことが、望ましい結果を実現するために、そのような動作が図示されている特定の順序または連続した順序で実行されるべきであること、あるいは全ての例示されている動作が実行されるべきであることを要求するように理解されるべきではない。ある特定の環境では、マルチタスキングおよび平行処理は有利でありうる。さらに、上記で説明された実装における様々なシステムコンポーネントの分離が、すべての実装においてそのような分離を要求しているものとして理解されるべきではなく、説明されているプログラムコンポーネントおよびシステムが、概して単一のソフトウェア製品に共に統合されうる、または複数のソフトウェア製品にパッケージされうることは理解されるべきである。加えて、他の実装は、以下の請求項の範囲内にある。いくつかのケースでは、請求項に記載されている動きは、異なる順序で実行されることができ、それでもなお望ましい結果を実現することができる。
以下に、本願出願の当初の特許請求の範囲に記載された発明を付記する。
［Ｃ１］
信号強度しきい値を生成するように構成されたアドホックワイヤレス通信ネットワークにおけるデバイスであって、
前記ワイヤレス通信ネットワークにおける他のデバイスからのメッセージを受信するように構成された受信機と、
前記他のデバイスそれぞれからの前記メッセージの信号強度を決定し、ブランチデバイスを決定するために使用される前記信号強度しきい値を識別するように構成されたプロセッサと、
前記ワイヤレス通信ネットワークにおける前記他のデバイスに前記信号強度しきい値を送信するように構成された送信機と
を備える、デバイス。
［Ｃ２］
前記信号強度しきい値は、前記他のデバイスそれぞれのうちのある割合からの前記メッセージの前記信号強度しきい値より大きい信号強度しきい値に、少なくとも部分的に、基づいて識別される、
Ｃ１に記載のデバイス。
［Ｃ３］
前記デバイスは、ルートデバイスおよび／またはブランチ同期デバイスのうちの１つである、
Ｃ１に記載のデバイス。
［Ｃ４］
前記ワイヤレス通信ネットワークは、ピアツーピアワイヤレス通信ネットワークを備える、
Ｃ１に記載のデバイス。
［Ｃ５］
前記ワイヤレス通信ネットワークは、ソーシャルＷｉＦｉネットワークを備える、
Ｃ１に記載のデバイス。
［Ｃ６］
前記プロセッサは、ポテンシャルブランチデバイスを識別するようにさらに構成され、前記送信機は、前記デバイスがブランチデバイスになるべきであると前記ポテンシャルブランチデバイスに命令を送信するようにさらに構成される、
Ｃ１に記載のデバイス。
［Ｃ７］
前記メッセージの前記信号強度は、受信信号強度インジケーション（ＲＳＳＩ）であり、前記信号強度しきい値は、ＲＳＳＩしきい値である、
Ｃ１に記載のデバイス。
［Ｃ８］
前記メッセージの前記信号強度は、パス利得であり、前記信号強度しきい値は、パス利得しきい値である、
Ｃ１に記載のデバイス。
［Ｃ９］
アドホックワイヤレス通信ネットワークにおける信号強度しきい値を決定するための方法であって、
前記ワイヤレス通信ネットワークにおける他のデバイスからのメッセージを受信することと、
前記ワイヤレス通信ネットワークにおける前記他のデバイスから前記受信したメッセージに、少なくとも部分的に、基づいて前記ワイヤレス通信ネットワークにおける前記他のデバイスそれぞれの信号強度を決定することと、
ブランチデバイスを決定するために使用される前記信号強度しきい値を識別することと、
前記ワイヤレス通信ネットワークにおける前記他のデバイスに信号強度しきい値を送信することと
を備える、方法。
［Ｃ１０］
前記信号強度しきい値を識別することは、前記ワイヤレス通信ネットワークにおける前記他のデバイスのうちのある割合からの前記メッセージの前記信号強度しきい値より大きい信号強度しきい値を識別することを備える、
Ｃ９に記載の方法。
［Ｃ１１］
前記ワイヤレス通信ネットワークは、ピアツーピアワイヤレス通信ネットワークを備える、
Ｃ９に記載の方法。
［Ｃ１２］
前記ワイヤレス通信ネットワークは、ソーシャルＷｉＦｉネットワークを備える、
Ｃ９に記載の方法。
［Ｃ１３］
ポテンシャルブランチデバイスを識別することと、前記デバイスがブランチデバイスになるべきであると前記ポテンシャルブランチデバイスに命令を送信することとをさらに備える、
Ｃ９に記載の方法。
［Ｃ１４］
前記他のデバイスそれぞれの前記信号強度は、受信した信号強度インジケーション（ＲＳＳＩ）であり、前記信号強度しきい値は、ＲＳＳＩしきい値である、
Ｃ９に記載の方法。
［Ｃ１５］
前記他のデバイスそれぞれの前記信号強度は、パス利得であり、前記信号強度しきい値は、パス利得しきい値である、
Ｃ９に記載の方法。
［Ｃ１６］
実行されると、デバイス中のプロセッサに、アドホックワイヤレス通信ネットワークにおける信号強度しきい値を決定するための方法を実行させる命令を備える非一時的コンピュータ可読媒体であって、前記方法は、
前記ワイヤレス通信ネットワークにおける他のデバイスからのメッセージを受信することと、
前記ワイヤレス通信ネットワークにおける前記他のデバイスから前記受信したメッセージに、少なくとも部分的に、基づいて前記ワイヤレス通信ネットワークにおける前記他のデバイスそれぞれの信号強度を決定することと、
ブランチデバイスを決定するために使用される前記信号強度しきい値を識別することと、
前記ワイヤレス通信ネットワークにおける前記他のデバイスに信号強度しきい値を送信することと
を備える、非一時的コンピュータ可読媒体。
［Ｃ１７］
前記ワイヤレス通信ネットワークは、ピアツーピアワイヤレス通信ネットワークを備える、
Ｃ１６に記載の非一時的コンピュータ可読媒体。
［Ｃ１８］
前記信号強度しきい値を識別することは、前記ワイヤレス通信ネットワークにおける前記他のデバイスのうちのある割合からの前記メッセージの前記信号強度しきい値より大きい信号強度しきい値を識別することを備える、
Ｃ１６に記載の非一時的コンピュータ可読媒体。
［Ｃ１９］
前記ワイヤレス通信ネットワークは、ソーシャルＷｉＦｉネットワークを備える、
Ｃ１６に記載の非一時的コンピュータ可読媒体。
［Ｃ２０］
前記方法は、ポテンシャルブランチデバイスを識別することと、前記デバイスがブランチデバイスになるべきであると前記ポテンシャルブランチデバイスに命令を送信することとをさらに備える、
Ｃ１６に記載の非一時的コンピュータ可読媒体。
［Ｃ２１］
前記他のデバイスそれぞれの前記信号強度は、受信した信号強度インジケーション（ＲＳＳＩ）であり、前記信号強度しきい値は、ＲＳＳＩしきい値である、
Ｃ１６に記載の非一時的コンピュータ可読媒体。
［Ｃ２２］
前記他のデバイスそれぞれの前記信号強度は、パス利得であり、前記信号強度しきい値は、パス利得しきい値である、
Ｃ１６に記載の非一時的コンピュータ可読媒体。
［Ｃ２３］
信号強度しきい値を受信するように構成されたアドホックワイヤレス通信ネットワークにおけるデバイスであって、
前記信号強度しきい値を含む前記ワイヤレス通信ネットワークにおける１つまたは複数の他のデバイスからのメッセージを受信するように構成された受信機と、
前記メッセージの信号強度と前記メッセージ中で受信した前記信号強度しきい値を比較するように構成され、前記デバイスが前記メッセージの前記信号強度と前記信号強度しきい値との前記比較に少なくとも基づいてポテンシャルブランチノードであるかどうか決定するようにさらに構成されたプロセッサと
を備える、デバイス。
［Ｃ２４］
前記プロセッサは、前記デバイスの近傍における１つまたは複数のブランチノードの存在を決定するようにさらに構成される、
Ｃ２３に記載のデバイス。
［Ｃ２５］
アドホックワイヤレス通信ネットワークにおける信号強度しきい値を受信するための方法であって、
前記信号強度しきい値を含む前記ワイヤレス通信ネットワークにおける１つまたは複数の他のデバイスからのメッセージを受信することと、
前記受信したメッセージの信号強度を決定することと、
ワイヤレスデバイスがポテンシャルブランチノードでありうるかどうか決定するために、前記信号強度しきい値と前記受信したメッセージの前記信号強度を比較することと、
前記ワイヤレスデバイスがポテンシャルブランチノードでありうるか否かの前記決定に少なくとも部分的に基づいて、１つまたは複数の他のデバイスからの前記メッセージを送信することと
を備える、方法。
［Ｃ２６］
前記ワイヤレスデバイスの近傍における１つまたは複数のブランチノードの存在を決定することをさらに備える、
Ｃ２５に記載の方法。
［Ｃ２７］
実行されると、デバイス中のプロセッサに、アドホックワイヤレス通信ネットワークにおける信号強度しきい値を受信ための方法を実行させる命令を備える、非一時的コンピュータ可読媒体であって、前記方法は、
前記信号強度しきい値を含む前記ワイヤレス通信ネットワークにおける１つまたは複数の他のデバイスからのメッセージを受信することと、
前記受信したメッセージの信号強度を決定することと、
ワイヤレスデバイスがポテンシャルブランチデバイスとなりうるか否かを決定するために、前記信号強度しきい値と前記受信したメッセージの前記信号強度を比較することと、
前記ワイヤレスデバイスがポテンシャルデバイスでありうるか否かの前記決定に少なくとも部分的に基づいて、１つまたは複数の他のデバイスからの前記メッセージを送信することと
を備える、非一時的コンピュータ可読媒体。
［Ｃ２８］
前記ワイヤレスデバイスの近傍における１つまたは複数のブランチノードの存在を決定することをさらに備える、
Ｃ２７に記載の非一時的コンピュータ可読媒体。